(57)【特許請求の範囲】
【請求項１】
空気調和装置の室内機の吸入口から吹出口に至る主風路に両端が接続される冷媒検知風路と、
前記冷媒検知風路の内部の冷媒を検知する冷媒検知センサと、を備え、
前記冷媒検知風路は、
前記主風路に設置され前記吸入口から前記吹出口へ空気を送る送風機の送風口側と取り入れ口側とを連通させる、冷媒検知装置。
【請求項２】
前記冷媒検知風路は、
一方の端が前記主風路に接続される配管と、
前記配管に接続された冷媒検知ボックスと、を備え、
前記冷媒検知センサは、
前記冷媒検知ボックスの内部に設置されている、請求項１に記載の冷媒検知装置。
【請求項３】
前記冷媒検知風路は、
当該冷媒検知風路の一方の端から他方の端へ空気を流すファンを備える、請求項１又は２に記載の冷媒検知装置。
【請求項４】
前記冷媒検知風路は、
一方の端が前記主風路に接続される配管と、
前記配管に接続されたファンボックスを更に備え、
前記ファンは、
前記ファンボックスの内部に設置されている、請求項３に記載の冷媒検知装置。
【請求項５】
前記冷媒検知風路は、
前記主風路を流れる空気を取り込むための取得口と、
前記主風路に空気を戻すための返風口とを備え、
前記取得口は、
前記返風口より前記主風路の下流に設けられている、請求項１〜４の何れか１項に記載の冷媒検知装置。
【請求項６】
吸入口及び吹出口が設けられた箱形の筐体と、
前記吸入口から前記吹出口に至る主風路と、
前記主風路に配置され前記吸入口から前記吹出口へ空気を送る送風機と、
前記主風路を流れる前記空気と冷媒との間で熱交換を行う熱交換器と、
冷媒検知装置と、を備え、
前記冷媒検知装置は、
前記主風路から分岐し前記主風路に合流する冷媒検知風路を有し、
前記冷媒検知風路は、
当該冷媒検知風路内の冷媒を検知する冷媒検知センサが設置され、前記送風機の送風口側と取り入れ口側とを連通させる、空気調和装置の室内機。
【請求項７】
前記冷媒検知風路は、
前記主風路から前記空気を取り込む取得口と、
取り込んだ前記空気を前記主風路に戻す返風口と、を備え、
前記取得口は、
前記返風口より前記主風路の下流に設けられている、請求項６に記載の空気調和装置の室内機。
【請求項８】
前記取得口は、前記主風路に複数設置されている、請求項７に記載の空気調和装置の室内機。
【請求項９】
前記筐体は、
前記熱交換器が設置されている熱交換器室と、前記送風機が設置されている送風機室と、を備え、
前記冷媒検知風路は、
前記熱交換器室と前記送風機室とを接続する、請求項６〜８の何れか１項に記載の空気調和装置の室内機。
【請求項１０】
前記熱交換器は、
端部に前記主風路の一部を遮る遮断板が設けられ、
前記遮断板は、
前記熱交換器の前記端部を通過する前記空気を前記主風路と前記冷媒検知風路との接続口に誘導する、請求項９に記載の空気調和装置の室内機。
【請求項１１】
前記冷媒検知風路は、
当該冷媒検知風路の一方の端から他方の端へ前記空気を流すファンを備える、請求項６〜１０の何れか１項に記載の空気調和装置の室内機。
【請求項１２】
前記冷媒検知風路は、
一方の端が前記主風路に接続される配管と、
前記配管に接続されたファンボックスを更に備え、
前記ファンは、
前記ファンボックスの内部に設置されている、請求項１１に記載の空気調和装置の室内機。
【請求項１３】
前記冷媒検知風路は、
前記主風路に突出する突出配管を備え、
前記突出配管は、
先端に前記主風路から前記空気を取り込む取得口を備える、請求項６〜１２の何れか１項に記載の空気調和装置の室内機。
【請求項１４】
前記冷媒検知風路は、
前記筐体の外部に設置される、請求項６〜１３の何れか１項に記載の空気調和装置の室内機。
【発明の詳細な説明】
【技術分野】
【０００１】
本発明は、空気調和装置に関し、特に冷媒回路から筐体内に漏出した冷媒を検知する冷媒検知装置及び冷媒検知装置を備える空気調和装置の室内機に関する。
【背景技術】
【０００２】
従来の空気調和装置において、冷媒回路から冷媒が漏れたことを検知するセンサは、空気調和装置の筐体の内部に設置されている。例えば、特許文献１に開示されているところでは、空気より大きい密度の冷媒を用いた空気調和装置の室内機において、筐体内部の風路に熱交換器と熱交換器の下方にファンケーシングに覆われたファンとが設置されている。冷媒検知手段は、ファンケーシング内であって室内送風ファンよりも上方に設けられている。冷媒検知手段としては、例えば半導体式ガスセンサ、熱線形半導体ガスセンサなどが用いられている。空気調和装置の運転停止状態において、筐体の内部に設置された熱交換器からの冷媒が漏洩した場合、漏洩した冷媒の全量がファンケーシング内に流入するため、冷媒検知手段は、早く確実に冷媒の漏洩を検知することができる。
【先行技術文献】
【特許文献】
【０００３】
【特許文献１】特開２０１６−２９３２２号公報
【発明の概要】
【発明が解決しようとする課題】
【０００４】
しかし、空気調和装置の室内機においては、内部構造の制約により、特許文献１に開示されているように筐体内部の風路に冷媒検知手段を設置することが不可能、又は最適な場所への冷媒検知手段の設置が困難な場合がある。また、特許文献１に開示されている空気調和装置の室内機においては、特に運転停止状態に冷媒の漏洩が検知できる様に構成されているが、空気調和装置の運転状態においては、冷媒漏洩の検知が困難、又は検知不可能であるという課題があった。さらに、構造が異なる機種においては、筐体内部の風路の構造が異なるため、風路内において冷媒を検知する位置や冷媒検知手段の取付形態が異なり、各機種毎に内部構造に合わせた冷媒検知手段の設計、製造が必要になり、各機種間で冷媒検知手段を共通した形態で使用するのが困難であるという課題があった。【０００５】
本発明は、上記の課題を解決するためになされたものであり、構造が異なる空気調和装置の室内機においても適用できる冷媒検知装置及びその冷媒検知装置を使用した空気調和装置の室内機を提供することを目的とする。
【課題を解決するための手段】
【０００６】
本発明に係る冷媒検知装置は、空気調和装置の室内機の吸入口から吹出口に至る主風路に両端が接続される冷媒検知風路と、前記冷媒検知風路の内部の冷媒を検知する冷媒検知センサと、を備え、前記冷媒検知風路は、前記主風路に設置され前記吸入口から前記吹出口へ空気を送る送風機の送風口側と取り入れ口側とを連通させる。
【０００７】
本発明に係る空気調和装置の室内機は、吸入口及び吹出口が設けられた箱形の筐体と、前記吸入口から前記吹出口に至る主風路と、前記主風路に配置され前記吸入口から前記吹出口へ空気を送る送風機と、前記主風路を流れる前記空気と冷媒との間で熱交換を行う熱交換器と、冷媒検知装置と、を備え、前記冷媒検知装置は、前記主風路から分岐し前記主風路に合流する冷媒検知風路を有し、前記冷媒検知風路は、当該冷媒検知風路内の冷媒を検知する冷媒検知センサが設置され、前記送風機の送風口側と取り入れ口側とを連通させる。
【発明の効果】
【０００８】
本発明によれば、冷媒検知装置は、空気調和装置の室内機の筐体内の主風路の外に空気を誘導して漏洩した冷媒を検知することができる。これにより、冷媒検知装置は、主風路の構造を制限することなく空気調和装置の室内機に設置できる。また、冷媒検知風路と室内機の内部の主風路との接続部の構造を共通にすることにより、構造が異なる機種においても、冷媒検知装置の設計負荷をかけることなく冷媒検知装置を適用することができる。
【図面の簡単な説明】
【０００９】
【図１】本発明の実施の形態１に係る空気調和装置の室内機の斜視図である。
【図２】図１の空気調和装置の室内機の風路の説明図である。
【図３】図１の冷媒検知ボックスの拡大図である。
【図４】図１の冷媒検知装置の取得口周辺の拡大図である。
【図５】本発明の実施の形態２に係る冷媒検知装置の斜視図である。
【図６】本発明の実施の形態３に係る空気調和装置の室内機の斜視図である。
【発明を実施するための形態】
【００１０】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１１】
実施の形態１.
図１は、本発明の実施の形態１に係る空気調和装置の室内機１００の斜視図である。図２は、図１の空気調和装置の室内機１００の風路の説明図である。図１及び図２において、空気調和装置の室内機１００は模式的に示されている。空気調和装置の室内機１００は、箱形の筐体１を有し、筐体１は、ファンプレート５によって内部が送風機室Ａと熱交換器室Ｂとに区画されている。送風機室Ａには、モータ２及び２つのファンケーシング３が設けられている。なお、ファンケーシング３の内部には送風機４０が設けられている。送風機室Ａは、筐体１に開口が設けられており、空気調和装置の室内機１００の外部から空気を取り込む吸入口１８が設けられている。実施の形態１において、吸入口１８は、筐体１の端面に開口されているが、送風機室Ａ内に設けられた送風機４０が筐体１の外部の空気を取り込むことができれば、設置位置は適宜変更できる。
【００１２】
熱交換器室Ｂには、熱交換器４が設けられている。熱交換器室Ｂ側に位置する筐体１の端面には、熱交換器４で熱交換された空気を吹き出す吹出口１９が設けられている。吹出口１９は、設置位置を適宜変更できるものである。
【００１３】
ファンケーシング３は、ファンプレート５に取り付けられている。ファンプレート５には、送風機４０からの空気を熱交換器室Ｂに吹き出す送風口４２が設けられている。また、ファンケーシング３には、送風機室Ａ内の空気をファンケーシング３内に取り込む取り入れ口４１が設けられている。ファンケーシング３内に設置された送風機４０は、モータ２により駆動され、ファンケーシング３の取り入れ口４１から送風機室Ａ内の空気を取り込み、送風口４２から熱交換器室Ｂ内に空気を吹き出す。熱交換器室Ｂ内に吹き出された空気は、熱交換器４で熱交換器４内の伝熱管３０を流れる冷媒と熱交換され、吹出口１９から吹き出される。つまり、筐体１の内部には、吸入口１８から送風機４０、熱交換器４を経て吹出口１９に至る主風路５０が形成されている。
【００１４】
熱交換器室Ｂの側面には、筐体１内部の主風路５０の空気を取り込み、空気に冷媒が含まれていないかを検知する冷媒検知装置２０が設けられている。冷媒検知装置２０は、主風路５０に接続された配管９と、内部に冷媒検知センサ１１が設けられた冷媒検知ボックス６と、主風路５０に接続され冷媒検知センサ１１を経た空気を再び主風路５０に戻すための配管１０とから構成される。熱交換器室Ｂの筐体１の側面には、主風路５０を流れる空気を取り込むための取得口７が設けられている。また、送風機室Ａの筐体１の側面には、冷媒検知風路６０から主風路５０に空気を戻すための返風口８が設けられている。筐体１内の主風路５０から分岐し、冷媒検知センサ１１に空気を送り、再び主風路５０に空気を戻す取得口７から返風口８に至る風路を、冷媒検知風路６０と呼ぶ。
【００１５】
配管９及び配管１０の材料は、強度が満足できており、冷媒の検知に影響を与えなければ、樹脂でも金属でも良い。また、配管９及び配管１０の材料に形状の自由度のある軟素材を使用し、筐体１に設けられた取得口７及び返風口８と配管９及び配管１０との取付の構造を共通にし、冷媒検知装置２０の配管９、１０の長さ及び形状の少なくとも一方を変更することで、様々なタイプの空気調和装置の室内機において、主風路５０から分岐し再び主風路５０に合流する冷媒検知風路６０を形成できる。実施の形態１においては、図１に示されるように、筐体１の外部に冷媒検知装置２０を配置しているが、冷媒検知装置２０は、筐体１の内部に設置されていても良い。例えば、筐体１内に主風路５０を構成しない機械室などの構造を有する場合は、機械室内に冷媒検知装置２０を設置しても良い。
【００１６】
取得口７から取り込まれた空気は、配管９を通り冷媒検知ボックス６を経て配管１０を通り返風口８から主風路５０に戻される。主風路５０は、送風機４０が駆動されることにより、送風機４０の下流側、つまり送風口４２側の空気の圧力が、送風機４０の上流側、つまり取り入れ口４１側の空気の圧力よりも高くなっている。取得口７は空気の圧力の高い熱交換器室Ｂに設けられており、返風口８は空気の圧力の低い送風機室Ａに設けられることにより、差圧により、空気が冷媒検知風路６０に流れやすくなる。
【００１７】
例えば空気調和装置に使用される冷媒がフロン系のような気体状態で空気より比重の重い冷媒の場合は、取得口７は筐体１の下部に設けると良い。空気調和装置に使用される冷媒が気体状態でアンモニアのように空気より軽い冷媒の場合は、取得口７は筐体１の上部に設けると良い。実施の形態１においては、図１に示されるように一例として筐体１の下部に取得口７が設けられている。また、実施の形態１では筐体１の側面の一方のみに取得口７を設けているが、空気調和装置の室内機１００の構造に応じて、筐体１の両側の側面や、筐体１の上下面等に取得口７を設けても良い。また、返風口８についても取得口７と同様に空気調和装置に用いられる冷媒や空気調和装置の室内機１００の構造に応じて位置及び設置数を適宜変更できる。
【００１８】
取得口７及び返風口８の形状は、実施の形態１では丸形であるが、その他の形状でも良い。また、取得口７及び返風口８の開口面積については、配管９、１０の長さ、強度、また冷媒検知センサ１１の検知しやすい流速等を考慮して、大きさを決定する。
【００１９】
図３は、図１の冷媒検知ボックス６の拡大図である。図３の冷媒検知ボックス６は、上面と正面の板を外した状態で示されている。冷媒検知ボックス６には、冷媒の濃度を検知する冷媒検知センサ１１と、冷媒検知センサ１１からの信号を処理する制御部１２が設けられている。冷媒検知センサ１１は、空気調和装置の室内機１００からの給電、又は空気調和装置の室内機１００が設置された現地の外部電源からの給電により駆動しても良い。冷媒検知センサ１１を、室内機１００又は外部電源からの給電駆動としない場合には、冷媒検知ボックス６にバッテリーを内蔵することができる。また、図３では冷媒検知センサ１１や制御部１２は冷媒検知ボックス６の鉛直方向下面に固定されているが、その他の面に固定しても良い。
【００２０】
図１において、冷媒検知ボックス６は、空気調和装置の室内機１００の筐体１に固定されているが、天井設置型の室内機の場合は天井面、床置型の室内機では床面など、筐体１の外部に自由に設置することができる。冷媒検知ボックス６の設置位置は、空気調和装置の室内機１００が設置される現地の環境や冷媒検知ボックス６のメンテナンス性を考慮して、最適な箇所を選択することができる。また、上述したように、冷媒検知装置２０は、筐体１の内部の例えば機械室などに設置することができるため、機械室内においてメンテナンス性の良い位置に配置しても良い。
【００２１】
冷媒検知装置２０を室内機１００の筐体１に固定する場合も、配管９を取得口７に、配管１０を返風口８にネジ等で固定することにより、冷媒検知装置２０のみの交換が可能となる。
【００２２】
さらに、図３に示されるように、冷媒検知ボックス６の上面や正面を取り外して、内部の冷媒検知センサ１１や制御部１２の交換及び点検が行える状態にするために、冷媒検知ボックス６を構成する上面及び正面を構成する部材をネジ等で固定し、取外し自在とすると良い。
【００２３】
図４は、図１の冷媒検知装置２０の取得口７周辺の拡大図である。図４は、室内機１００の筐体１の上面と側面の一部とを削除して表示した図である。図４において、熱交換器４は、複数の伝熱管３０を複数配列し、伝熱管３０の端部を例えばＵ字管３１により接続することにより冷媒流路を形成している。複数の伝熱管３０には複数のフィン３３が取り付けられフィン３３の間に空気を通過させることにより、伝熱管３０の内部を流れる冷媒と空気との間で熱交換を行うものである。室内機１００において冷媒漏洩が生じるおそれがあるのは、伝熱管３０とＵ字管３１とが例えばロウ付けにより接続されている接続部３２である。
【００２４】
図４に示されるように、熱交換器４の端部には、伝熱管３０とＵ字管３１とのロウ付け部が集中しており、冷媒漏洩が発生したときは、熱交換器４の端部周辺の空気の冷媒濃度が高くなりやすい。そこで、実施の形態１に係る室内機１００においては、熱交換器４のフィン３３が設けられている部分の端部から遮断板１３をＵ字管３１が突出している方向と同じ方向に突出して設けられ、主風路５０の一部を遮断している。また、遮断板１３は、熱交換器４の主風路５０下流側を向いた面の端部から、その面に平行に突出して設けられている。遮断板１３は、熱交換器４の端部のＵ字管３１が設置されている領域を通過する空気の流れを遮断する。熱交換器４は、主風路５０の空気の流れ方向に対し傾斜しているため、図４中に示された矢印のように、主風路５０の上流側から流れて来た空気が熱交換器４の端部を通過した後に遮断板１３にあたり、遮断板１３の表面に沿って流れる。遮断板１３は、主風路５０内において取得口７の下流側において主風路５０の一部を遮断している。これにより、熱交換器４の端部を通過した空気が取得口７に集まるように誘導できる流路が形成され、空気調和装置の室内機１００は冷媒漏洩検知の精度を高めることができる。
【００２５】
＜実施の形態１の効果＞
（１）実施の形態１に係る冷媒検知装置２０は、空気調和装置の室内機１００の吸入口１８から吹出口１９に至る主風路５０に両端部が接続される冷媒検知風路６０と、冷媒検知風路６０の内部の冷媒を検知する冷媒検知センサ１１と、を備える。
（２）実施の形態１に係る空気調和装置の室内機１００によれば、吸入口１８及び吹出口１９が設けられた箱形の筐体１と、吸入口１８から吹出口１９に至る主風路５０と、主風路５０に配置され吸入口１８から吹出口１９へ空気を送る送風機４０と、主風路５０を流れる空気と冷媒との間で熱交換を行う熱交換器４と、冷媒検知装置２０と、を備える。冷媒検知装置２０は、主風路５０から分岐し主風路５０に合流する冷媒検知風路６０を有し、冷媒検知風路６０は、当該冷媒検知風路６０内の冷媒を検知する冷媒検知センサ１１が設置されている。
このように構成されることにより、空気調和装置の室内機１００の内部の主風路５０を狭めることなく冷媒検知装置２０を設置することができる。また、主風路５０の空気の流れを阻害することなく、主風路５０を流れる空気を冷媒検知センサ１１に導くことができる。また、冷媒検知装置２０を空気調和装置の室内機１００の主風路５０の外部、または筐体１の外部に設置できるため、内部構造が異なる空気調和装置の室内機１００に対しても、配管９、１０の長さや形状を変更するだけで、冷媒検知装置２０を適用することができる。これにより、異なる形態の空気調和装置の室内機に対して冷媒検知装置２０を適用する場合であっても、冷媒検知装置２０を設置するための設計負荷を軽減できる。
【００２６】
（３）実施の形態１に係る冷媒検知装置２０によれば、冷媒検知風路６０は、一方の端部が主風路５０に接続される配管９、１０と、配管９、１０に接続された冷媒検知ボックス６と、を備え、冷媒検知センサ１１は、冷媒検知ボックス６の内部に設置されている。
このように構成されることにより、筐体１とは独立した冷媒検知ボックス６内に冷媒検知センサ１１が設置されているため、上記（１）及び（２）の効果を得つつ、冷媒検知センサ１１の点検や交換等のメンテナンス作業を容易に行うことができる。また、配管９、１０に対し冷媒検知ボックス６を着脱可能に構成することにより、冷媒検知センサ１１又は制御部１２の故障時には冷媒検知ボックス６ごと容易に交換できる。
【００２７】
（４）実施の形態１に係る空気調和装置の室内機１００によれば、冷媒検知風路６０は、送風機４０の取り入れ口４１側と送風口４２側とを連通させる。
このように構成されることにより、冷媒検知風路６０は圧力の高い送風機４０の送風口４２側から圧力の低い取り入れ口４１側に向かって空気が流れるため、空気調和装置の室内機１００が運転状態であれば自然に冷媒検知ボックス６に主風路５０の空気が流れ込む構成になる。このため、空気調和装置の室内機１００は、簡易な構成で冷媒検知センサ１１に空気を導くための構造を得ることができ、かつ上記（１）及び（２）に記載の効果を得ることができる。
【００２８】
（５）実施の形態１に係る空気調和装置の室内機１００によれば、冷媒検知風路６０は、  主風路５０から空気を取り込む取得口７と、取り込んだ空気を主風路５０に戻す返風口８と、を備える。取得口７は、主風路５０に複数設置されている。
このように構成されることにより、空気調和装置の室内機１００は、主風路５０内の冷媒漏洩が発生する可能性の高い箇所に複数の取得口７を設置することにより、冷媒漏洩の検知精度を高めることができる。
【００２９】
（６）実施の形態１に係る空気調和装置の室内機１００によれば、筐体１は、熱交換器４が設置されている熱交換器室Ｂと、送風機４０が設置されている送風機室Ａと、を備え、前記冷媒検知風路は、熱交換器室Ｂと送風機室Ａとを接続する。
このように構成されることにより、冷媒検知風路６０は圧力が高く冷媒漏洩の可能性のある熱交換器室Ｂから圧力の低い送風機室Ａに向かって空気が流れるため、空気調和装置の室内機１００が運転状態であれば自然に冷媒検知ボックス６に主風路５０の空気が流れ込む構成になる。このため、空気調和装置の室内機１００は、簡易な構成で冷媒検知センサ１１に空気を導くための構造を得ることができ、かつ上記（１）及び（２）に記載の効果を得ることができる。
【００３０】
（７）実施の形態１に係る空気調和装置の室内機１００によれば、熱交換器４は、端部に主風路５０の一部を遮る遮断板１３が設けられ、遮断板１３は、熱交換器４の端部を通過する空気を主風路５０と冷媒検知風路６０との接続口に誘導する。
このように構成されることにより、主風路５０内で冷媒漏洩の可能性がある熱交換器４の端部を通過する空気を取得口７に導きやすい。従って、空気調和装置の室内機１００は、冷媒漏洩を精度よく迅速に検知することができる。
【００３１】
（８）実施の形態１に係る空気調和装置の室内機１００によれば、冷媒検知風路６０は、筐体１の外部に設置される。
このように構成されることにより、空気調和装置の室内機１００は、筐体１の内部に冷媒検知風路６０を設置するスペースを特に設ける必要がない。また、冷媒検知装置２０を異なる構造の空気調和装置の室内機１００に適用する場合においても、筐体１の内部構造の相違に影響されることなく、冷媒検知装置２０を適用することができ、筐体１を冷媒検知装置２０の設置のために拡大する必要がない。さらに、冷媒検知装置２０が室内機１００の筐体１の外部にあることにより、室内機１００の内部構造、点検口の位置や大きさによらず冷媒検知装置２０を構成する冷媒検知センサ１１やその周辺部品のメンテナンスを容易に行うことができる。
【００３２】
実施の形態２．
実施の形態２に係る空気調和装置の室内機２００の冷媒検知装置２２０は、実施の形態１に係る空気調和装置の室内機１００の冷媒検知装置２０に対し小型のファンを追加したものである。以下、実施の形態２について、実施の形態１からの変更点を中心に説明する。実施の形態２で特に記述しない項目については実施の形態１と同様とし、同一の機能や構成については同一の符号を用いて述べることとする。
【００３３】
図５は、本発明の実施の形態２に係る冷媒検知装置２２０の斜視図である。冷媒検知装置２２０は、実施の形態１に係る冷媒検知装置２０と同様に空気調和装置の室内機２００に取り付けられる。冷媒検知装置２２０は、実施の形態１の冷媒検知ボックス６に加えて、冷媒検知風路６０に空気の流れを形成するためのファンを設けたファンボックス１４が追加されている。ファンボックス１４には、内部にファンとモータを設置することにより、実施の筐体１内部の主風路５０の風量が小さい弱風時や室内機１００の運転停止時等、取得口７と返風口８の差圧が小さく、冷媒検知風路６０内の空気の流れが悪い、又は流れが無い場合にも、強制的に空気を取得口７から返風口８の方向に移動させることにより、主風路５０内の空気を冷媒検知センサ１１に送り込むことが可能となる。これにより、空気調和装置の室内機２００が弱風運転又は運転停止時においても冷媒検知装置２２０による冷媒漏洩の検知が可能となる。
【００３４】
冷媒検知風路６０にファンを設けることにより、室内機２００の送風機４０の回転数、風量等が変化した場合にも、冷媒検知風路６０内のファンの回転数を調整することにより、冷媒検知ボックス６内を通過する空気流量をサンプリングに適した量に調整することができる。
【００３５】
なお、図５では、取得口７と冷媒検知ボックス６の間の配管９にファンボックス１４を設置しているが、冷媒検知ボックス６と返風口８の間の配管１０に設置しても良い。
【００３６】
＜実施の形態２の効果＞
（９）実施の形態２に係る冷媒検知装置２２０によれば、冷媒検知風路６０は、当該冷媒検知風路６０の一方の端部から他方の端部へ空気を流すファンを備える。
（１０）実施の形態１に係る空気調和装置の室内機２００によれば、冷媒検知風路６０は、当該冷媒検知風路６０の一方の端部から他方の端部へ空気を流すファンを備える。
このように構成されることにより、空気調和装置の室内機１００が運転停止状態、又は弱風運転状態において、取得口７と返風口８との間の差圧が小さい場合であっても、ファンを駆動することにより冷媒検知センサ１１に主風路５０内の空気を送りこむことができる。従って、空気調和装置の室内機１００が運転停止状態、又は弱風運転状態においても冷媒検知装置２０により冷媒検知が可能となる。
【００３７】
（１１）実施の形態２に係る冷媒検知装置２２０又は空気調和装置の室内機２００によれば、冷媒検知風路６０は、一方の端部が主風路５０に接続される配管９、１０と、配管９、１０に接続されたファンボックス１４を更に備え、ファンは、ファンボックス１４の内部に設置されている。
このように構成されることにより、空気調和装置の室内機１００は、冷媒検知装置２０のファンの検査又は交換が容易に行える。
【００３８】
実施の形態３．
実施の形態３に係る空気調和装置の室内機３００の冷媒検知装置３２０は、実施の形態１に係る空気調和装置の室内機１００の冷媒検知装置２０に対し、取得口７及び返風口８から主風路５０内に突出した突出配管１５、１６を追加したものである。以下、実施の形態３について、実施の形態１からの変更点を中心に説明する。実施の形態３で特に記述しない項目については実施の形態１と同様とし、同一の機能や構成については同一の符号を用いて述べることとする。
【００３９】
図６は、本発明の実施の形態３に係る空気調和装置の室内機３００の斜視図である。実施の形態１、実施の形態２では取得口７及び返風口８は、筐体１内部の主風路５０の側面に設けられているが、実施の形態３に係る空気調和装置の室内機３００においては室内機３００の内部の主風路５０に突き出した突出配管１５、１６を追加されており、突出配管１５の先端に取得口７、突出配管１６の先端に返風口８が設けられている。この構成により主風路５０内の空気のサンプリング位置及び冷媒検知風路６０を通過した空気を戻す位置の変更が可能となる。
【００４０】
図６に示されるように、主風路５０と冷媒検知風路６０の接続部から真っ直ぐに主風路５０内に伸びた１本の短い突出配管１５、１６が設けられている。突出配管１５は、その先端に取得口７を有し、例えば熱交換器４の端部の近傍に配置されており、熱交換器４の端部の伝熱管３０とＵ字管３１との接続部３２から漏洩した冷媒を取得し易く構成されている。なお、突出配管１５の形状及び先端部分の位置は、適宜変更して漏洩冷媒のサンプリングに有利な位置に変更することができる。突出配管１５の先端部を分岐させ２つ又はそれ以上の数に分けることにより、主風路５０内の複数箇所からのサンプリングも可能となるため、冷媒検知装置３２０の検知精度をより高めることができる。
【００４１】
＜実施の形態３の効果＞
（１２）実施の形態１に係る空気調和装置の室内機３００によれば、冷媒検知風路６０は、主風路５０に突出する突出配管１５、１６を備え、突出配管１５は、先端に主風路５０から空気を取り込む取得口７を有する。
このように構成されることにより、特に取得口７に突出配管１５を備えることにより、漏洩冷媒のサンプリングに有利な位置から主風路５０内の空気をサンプリングすることができる。突出配管１５の先端部を分岐させ２つ又はそれ以上の数に分けることにより、主風路５０内の複数箇所からのサンプリングも可能となるため、冷媒検知装置３２０の検知精度をより高めることができる。
【符号の説明】
【００４２】
１  筐体、２  モータ、３  ファンケーシング、４  熱交換器、５  ファンプレート、６  冷媒検知ボックス、７  取得口、８  返風口、９  配管、１０  配管、１１  冷媒検知センサ、１２  制御部、１３  遮断板、１４  ファンボックス、１５  突出配管、１６  突出配管、１８  吸入口、１９  吹出口、２０  冷媒検知装置、３０  伝熱管、３１  Ｕ字管、３２  接続部、３３  フィン、４０  送風機、４１  取り入れ口、４２  送風口、５０  主風路、６０  冷媒検知風路、１００  室内機、２００  室内機、２２０  冷媒検知装置、３００  室内機、３２０  冷媒検知装置、Ａ  送風機室、Ｂ  熱交換器室。
【図１】
0006727421.tif 000002
【図２】
0006727421.tif 000003
【図３】
0006727421.tif 000004
【図４】
0006727421.tif 000005
【図５】
0006727421.tif 000006
【図６】
0006727421.tif 000007